(57)【要約】【課題】携帯端末で撮影した動画像に基づいて３Ｄ（３次元）画像を作成し、この３Ｄ画像を印刷したシールを提供すること。【解決手段】次の手順でシール６を作成する。すなわち、カメラ機能付き携帯端末２で被写体３を異なる角度から動画像として撮影し、撮影した動画像をサーバ４へ送信する。サーバ４は受信した動画像から２枚以上の静止画像を抽出し、抽出した静止画像に基づいて３Ｄ画像を作成する。続いて、シール台紙に作成した３Ｄ画像を印刷し、シート状レンズを印刷面の上に貼り付ける。【選択図】図１
2013210453.tif 000002
【特許請求の範囲】
【請求項１】
カメラ機能付き携帯端末で被写体を異なる角度から動画像として撮影するステップと、
撮影した動画像をサーバへ送信するステップと、
前記サーバが受信した動画像から２枚以上の静止画像を抽出するステップと、
抽出した静止画像に基づいて３次元画像（以下、「３Ｄ画像」）を作成するステップと、
シール台紙に作成した３Ｄ画像を印刷し、シート状レンズを印刷面の上に貼り付けるか、あるいはシート状レンズの裏面に３Ｄ画像を直接印刷するステップと、
を有することを特徴とする３Ｄ画像が印刷されたシールの作成方法。
【請求項２】
前記動画像は被写体の正面を含む概ね半周ないし４分の１周を、携帯端末をかざして撮影されたことを特徴とする請求項１に記載の３Ｄ画像が印刷されたシールの作成方法。
【請求項３】
前記被写体は撮影者の顔であることを特徴とする請求項１または２のいずれかに記載の３Ｄ画像が印刷されたシールの作成方法。
【請求項４】
カメラ機能付き携帯端末で被写体を異なる角度から動画像として撮影した画像データから抽出した２枚以上の静止画像に基づいて作成された３Ｄ画像を、シール台紙に印刷し、この印刷面の上にシート状レンズが貼り付けられたか、あるいはシート状レンズの裏面に前記３Ｄ画像が直接印刷されたことを特徴とする３Ｄ画像が印刷されたシール。
【請求項５】
前記動画像は被写体の正面を含む概ね半周ないし４分の１周を、携帯端末をかざして撮影されたことを特徴とする請求項４に記載の３Ｄ画像が印刷されたシール。
【請求項６】
前記被写体は撮影者の顔であることを特徴とする請求項４または５のいずれかに記載の３Ｄ画像が印刷されたシール。
【発明の詳細な説明】
【技術分野】
【０００１】
携帯端末で撮影した動画像に基づいて作成された３次元画像（以下「３Ｄ画像」）を印刷したシールおよびこのシールの作成方法に関するものである。
【背景技術】
【０００２】
身の回りの品物に愛着を持つと、自分だけの装飾を加えて楽しみたいと思うものである。自由なアイデアで工夫をするとさらにその品物に愛着を覚える。例えば、特許文献１に記載のライターは気に入った写真を貼り付けるものである。
また、最近は携帯電話やスマートフォンなどの携帯端末が目覚しい普及をみせている。この携帯端末にネイルアートの技術を転用してラインストーンなどを貼り付け、デコレーションを楽しむ人たちも多い
【先行技術文献】
【特許文献】
【０００３】
【特許文献１】特開２００７−５７２１７号公報
【発明の概要】
【発明が解決しようとする課題】
【０００４】
特許文献１の発明は、自分の好みの写真とはいえ、３Ｄ映画が一般的になっている現在では、やや面白みにかける。また、気に入った写真をいろいろ変えて楽しみたいと思っても樹脂を流し込んでいるので剥がさなくてはならず手間がかかる。
一方、「デコレーション携帯電話」とか「デコ電（登録商標）」とか呼ばれるようにきらびやかな飾りを付けて楽しむことが一般化しているので、いくら飾り付けてもよほど独創性がない限り友人の注目を集めたりすることがない。つまり、派手やかな装飾の氾濫の中で個性が埋没してしまうわけである。
ところで携帯電話やスマートフォンは、知人の電話番号やメールアドレス、自分のスケジュール、お気に入りの楽曲、ダウンロードしたさまざまなアプリなどが格納され、どこへ行くときも携行する必需品である。まさに自分の分身であって、そうであればやはり個性を主張したいものである。
本発明は携帯電話やスマートフォンに、自分の分身にふさわしい飾りをつけて楽しむことを目的とする。
【課題を解決するための手段】
【０００５】
上記の目的を達成するために、本発明のシールは次のように制作される。
ユーザはカメラ機能付き携帯端末で被写体を異なる角度から動画像として撮影し、この動画像をサーバへ送信する。
サーバは、動画像を受信するとこの中から２枚以上の静止画像を抽出し、抽出した静止画像に基づいて３Ｄ画像を作成する。
この３Ｄ画像はシール台紙に印刷され、印刷面の上にシート状レンズが貼り付けられる、あるいはシート状レンズの裏面に３Ｄ画像を直接印刷する。
さらに装飾を加える場合以外は、以上でシールが完成である。
このように、ユーザは自分の携帯端末のカメラ機能で動画像を撮影すると、メガネをかけなくても被写体が飛び出してくるように立体的に見えるシールを入手することができる。
なおシート状レンズとは、細長い凸レンズが多数並んだシートであってレンチキュラーレンズと呼ばれる。
【０００６】
動画像は被写体の正面を含む概ね半周ないし４分の１周を、携帯端末をかざして撮影すればよい。このように撮影は簡単であるから、例えば被写体は自分の顔でもよいわけである。
【発明の効果】
【０００７】
携帯端末で身近な被写体（自分の顔が代表的）を撮影し、それを３Ｄ画像として印刷したシールは他に同じものがない唯一自分だけのシールである。これを自分の分身ともいえる携帯端末に貼ることで、一層愛着が持てる。
シールなので簡単に貼ったり剥がしたりできる。そのため、複数の動画像から複数の種類のシールを作り、手軽に貼りかえて楽しむこともできる。
【図面の簡単な説明】
【０００８】
【図１】本発明の一実施形態のシール作成手順の流れを示す図である。
【図２】本発明の一実施形態の携帯端末のカメラ機能で被写体を撮影する様子を説明する図である。
【図３】本発明の一実施形態の動画像をサーバへ送信する際の入力画面例である。
【図４】本発明の一実施形態のシールの構成を示す図である。
【図５】本発明の一実施形態のシールを携帯端末の背面に貼り付けた状態を示す図である。
【発明を実施するための形態】
【０００９】
本発明の一実施形態のシールについて、図１〜図５を参照しながら説明する。
【００１０】
まず、図１に従い概要を説明する。
ユーザ１は自分の携帯端末２で被写体３の動画像を撮影する（ステップＳ１）。撮影された動画像は携帯端末２から通信ネットワークＮを介してサーバ４に送信される（ステップＳ２）。
サーバ４は、受信した動画像に基づいて３Ｄ画像を作成する（ステップＳ３）。
３Ｄ画像は印刷機５で印刷される（ステップＳ４）。
３Ｄ画像の印刷面にシート状レンズを貼り付け（ステップＳ５）、シール６が制作される。
このシール６はユーザ１に郵便などで送付される（ステップＳ６）。
以上が、シールの作成のあらましである。以下、さらに詳しく説明する。
【００１１】
ユーザ１は携帯端末２で被写体３の動画像を撮影する。そのためには携帯端末２は動画撮影機能を有することが前提である。携帯端末２は、携帯電話やスマートフォンなど可搬型の情報処理装置であって、カメラ機能付きであればよい。
【００１２】
図２は被写体３（この実施形態では柴犬のぬいぐるみ）の頭部を真上から見た図であるが、この図に示すように、被写体３の正面を含む顔の周りを携帯端末２（のカメラ）でかざすようにして動画像を撮影する。撮影は、顔の正面にあたる点Ｐを中心に、点Ｑを始点とし点Ｒを終点とする中心角が９０度から１５０度の範囲の概ね弧状に携帯端末２を移動させればよい。このとき、ユーザ１は携帯端末２をできるだけ水平に動かすように注意する。
【００１３】
動画像データは入力事項とともにサーバ４へ送信される。このときの入力画面を図３に例示する。
入力事項には、ユーザ１の連絡先としてのメールアドレス、制作されたシールの送り先の住所・氏名・電話番号、シールの枚数などがある。希望するシールの縦・横の長さも必要であれば入力する。このような大きさの指定に代えて、シールを貼り付けようと思っている携帯端末の型番などを入力してもよい。携帯端末の型番などがわかれば、大きさはもちろん、バッテリーケースの大きさなどによってシールを貼り付ける場所とその大きさがわかるからである。入力画面には、ラメやラインストーンなどのデコレーションの付加を希望する場合、選択する画面へ遷移するためのリンク表示なども含む。
入力画面に必要事項を入力したならば、３Ｄ画像化して印刷を希望する動画像データを指定して添付し、サーバ４に送信する。
【００１４】
この実施形態のシール制作サービスを受けるためには、所定のＵＲＬを指定してサーバ４の本サービス提供サイトにアクセスすればよい。あるいは携帯端末２に本サービスに対応した応用ソフト（アプリ）をインストールしておき、このアプリを起動してから動画像を撮影し、撮影終了後に入力画面が表示され送信ボタンを押下するとアプリに指定されているＵＲＬに送信されるようにしてもよい。
なお、課金については別途取り決めがあるものとするが、本発明にとって本質的でないので説明は省略する。
【００１５】
サーバ４は動画像を受信すると、受信した動画像から少なくとも２枚の静止画像を抽出する。２枚の場合は、互いに共通の領域が写っていることを要する。抽出した静止画像から３Ｄ画像を作成する。
動画像から静止画像の抽出、および３Ｄ画像の作成は、公知の技術や既存のソフトウェアがあるのでそれを利用すればよい。
【００１６】
サーバ４は印刷機５に作成した３Ｄ画像データを送信すると、印刷機５はシール台紙７の表面に印刷する。シール台紙７の裏面には粘着剤が塗布されその上に剥離紙（図示せず）が貼付されている。粘着剤には剥離が容易にできるものを用いる。
図４に示すように、シール台紙７の表面に３Ｄ画像が印刷されると、この印刷面にシート状レンズ８が貼り付けられる。ユーザ１がデコレーションの付加を希望しないならば、これでシールが完成である。もし、ユーザ１がデコレーションを希望する場合は、シート状レンズ８の表面にデコレーション９を付加する。デコレーションには、図４のようにラミネートフィルムに蓄光塗料１０で枠を描いたものであったり、シート状レンズ８の周囲をビーズなどで飾ったり、自由なアイデアで飾ればよい。
このようにして完成したシール６を指定された送り先に郵便などの手段で届ける。
【００１７】
ユーザ１はシール台紙７の裏面に貼付されている剥離紙をはがし、露出した粘着剤の部分を携帯端末２の背面などの適当な箇所に貼り付けるならば、どこにも無い自分だけのオリジナルのシール６で携帯端末２を飾ることができる。
図５は携帯端末２のケースの背面にシール６を貼り付けた状態を示す。被写体３が、シート状レンズ８の効果によって立体的に見え、通常の写真よりはるかに楽しめる。携帯端末２で撮影した画像を３Ｄ画像に加工して、この携帯端末２のケースに貼り付けるわけである。このシール６はどこにも売っていない自分だけのアクセサリである。シール６の裏面の粘着剤は剥離が容易なので、複数種類の３Ｄ画像を入手しておきＴＰＯなどに合わせて貼り替えてもよい。
【００１８】
上記の実施形態は例示であり、他にも種々の変形が考えられる。以下にいくつかの変形例を列挙する。
被写体としては、自分の顔、上記実施形態のような動物（のぬいぐるみ）などが主として想定されるが、植物でも景色でも何でもよい。
【００１９】
上記の実施形態では携帯端末２で動画を撮影するものとして説明した。しかし、動画撮影機能がない場合や景色のような被写体で連続して撮影できない場合は撮影位置をずらしながら撮影した複数枚の静止画像を動画像に代えることもできる。ただし、隣り合った写真同士は撮影領域に共通部分があることを要する。
【００２０】
上記の実施形態では、シール台紙の３Ｄ画像の印刷面の上にシート状レンズを貼り付けていた。しかし、シート状レンズの裏面に３Ｄ画像を直接印刷し、この印刷面にシール台紙を貼り付けてもかまわない。
【００２１】
上記の実施形態では動画像を撮影した携帯端末２にシールを貼り付けたが、ノートパソコンの蓋、日記帳の表紙など自分が日頃大切にしている物品に貼り付けてもよい。その場合は、サーバ４へ動画像を送信する際、シールの大きさを指定することが必要なことは言うまでもない。
【００２２】
作成されたシールの送り先は本人以外でもよい。例えば、「母子ともに健康ですよっ！！お父さんお母さんも元気でね！！」といったメッセージを添えて、地方で暮らす親に初孫の顔が写ったシールを送り、親の携帯端末のケースや自家用車のダッシュボードに貼付してもらってもよい。
【００２３】
要は、この発明によれば自分の携帯端末を用いて自分で撮影した自分の顔などの動画像に基づいて３Ｄ画像の印刷されたオリジナルな装飾用シールを手軽に入手できる点が重要なのである。
【産業上の利用可能性】
【００２４】
普及のめざましい携帯端末のアクセサリとして、特に若い世代の人からの需要が期待できる。
【符号の説明】
【００２５】
１：ユーザ、２：携帯端末、３：被写体、４：サーバ、５：印刷機、６：シール
【図１】
2013210453.tif 000003
【図２】
2013210453.tif 000004
【図３】
2013210453.tif 000005
【図４】
2013210453.tif 000006
【図５】
2013210453.tif 000007